(57)【要約】【課題】  ディスク装置のオートチェンジャに交換再生能力一杯のディスクが収納されている場合でも、別のディスクの一時的な再生を可能にする。【解決手段】  装置内の上下方向への移動、外部からのディスクの交換、及び複数のディスクの保持、が可能な第１のディスク保持部材１１と、固定式の第２のディスク保持部材１２とを備え、第１と第２のディスク保持部材１１，１２の間でディスク２を移動させながら所望のディスク２の再生を行うディスクオートチェンジャ１を備えたディスク装置１０において、保持枚数の計数回路２１で第１のディスク保持部材１１に保持されているディスク枚数を計数し、空きストッカ４がない状態で装置外の別のディスクの再生要求があった場合には、第１のディスク保持部材１１のディスクの一部を第２のディスク保持部材１２に移すことによってこのディスクの一時的な再生を可能にしたディスク装置である。【選択図】      図２
2005251307.tif 000002
【特許請求の範囲】
【請求項１】
装置の開口部からディスクを出し入れする挿入／排出機構、
前記開口部に隣接して、ディスクを複数枚保持可能な第１のディスク保持部材、
この第１のディスク保持部材を装置内でディスクの積層方向に移動させる昇降機構、
前記装置内部に設けられて、前記第１のディスク保持部材に保持されたディスクと平面視重なる状態で複数枚のディスクを保持可能な第２のディスク保持部材、
前記第１と第２のディスク保持部材の間でディスクの受渡しを行う受渡し機構、
前記第１と第２のディスク保持部材の間の空間で前記ディスクの再生／記録を行うディスクの再生／記録機構、及び
前記各機構と各部材の動作を制御する制御手段とを備えるオートチェンジャを装置内に備えるディスク装置において、
前記開口部を開放／閉鎖するシャッタ機構と、
前記第１のディスク保持部材に保持されているディスクの枚数を計数するディスクの保持枚数の計測手段とを設け、
前記制御手段は、前記保持枚数の計測手段が前記第１のディスク保持部材に保持可能なディスクが収納されたことを検出した状態では、前記シャッタ機構に前記開口部を閉鎖する動作を行わせることを特徴とするディスク装置。
【請求項２】
請求項１に記載のディスク装置において、
前記保持枚数の計測手段が前記第１のディスク保持部材に保持可能なディスクが収納されたことを検出している状態で、前記装置の外にある別のディスクを一時的に再生／記録させる指示手段を設け、
この一時再生／記録指示が前記制御手段に入力された場合に、前記制御手段は、
前記昇降機構と前記受渡し機構によって前記第１のディスク保持部材に保持されたディスクの一部を前記第２のディスク保持部材に移動させて前記第１のディスク保持部材に保持可能部を形成する、
前記昇降機構によって前記保持可能部を前記開口部に対向させる、
前記シャッタ機構により前記開口部を開放する、
前記挿入／排出機構によって前記別のディスクを前記第１のディスク保持部材の保持可能部に受け入れる、
前記別のディスクを前記再生／記録機構によって再生／記録させる、及び
前記別のディスクの再生／記録中は、前記シャッタ機構に前記開口部を閉鎖させる動作を行うことを特徴とするディスク装置。
【請求項３】
請求項２に記載のディスク装置において、
前記制御手段は、前記再生／記録機構の動作中は、前記再生／記録中の別のディスクの他のディスクへの交換動作の入力を禁止することを特徴とするディスク装置。
【請求項４】
請求項３に記載のディスク装置において、
前記ディスク装置に一体的に、或いは別体で表示部を設け、前記制御手段は、前記再生／記録中の別のディスクを他のディスクに交換する動作ができない状態であることを前記表示部に表示するようにしたことを特徴とするディスク装置。
【請求項５】
請求項３または４に記載のディスク装置において、
前記ディスク装置に一体的に、或いは別体で信号音発生機構を設け、前記制御手段は、前記再生／記録中の別のディスクを他のディスクに交換する動作ができない状態であることを信号音発生機構によって外部に通知するようにしたことを特徴とするディスク装置。
【請求項６】
請求項２に記載のディスク装置において、
前記制御手段は、前記再生／記録機構の前記別のディスクの再生／記録中に、装置内の他のディスクの再生／記録指示が入力された場合に、
前記別のディスクの前記再生／記録機構による再生／記録を停止する、
前記別のディスクを前記第１のディスク保持部材の保持可能部に移動する、
前記シャッタ機構に前記開口部を開放する動作を行わせる、
前記挿入／排出機構によって前記別のディスクを前記第１のディスク保持部材から排出する、
前記別のディスクの装置からの排出が確認された時点で、再生／記録指示が入力された装置内の他のディスク再生／記録を行わせることを特徴とするディスク装置。
【発明の詳細な説明】
【技術分野】
【０００１】
本発明はディスク装置に関し、特に、装置内に複数枚収納されたＣＤやＭＤ、或いはＤＶＤ等のディスクの中から、所望のディスクを抜き出してこれを再生、またはこれに記録を行うオートチェンジャが搭載されたディスク装置に関する。
【背景技術】
【０００２】
従来、レーザ光を用いて、ディスク上に記録されたデータを再生したり、ディスク上にデータを記録する（以後再生／記録という）ディスク装置は公知である。このようなディスク装置で再生／記録するディスクとしては、ＣＤ、ＭＤ、ＤＶＤ等が知られている。
【０００３】
一方、近年、ディスク装置における煩雑なディスクの交換作業を軽減するために、ディスク装置にオートチェンジャを搭載し、複数のディスクを予めオートチェンジャのディスク保持部内に収納しておき、所望のディスクを自動的に再生／記録するディスク装置が実用化されている。このオートチェンジャの一例が特許文献１にＣＤプレーヤーの従来例として記載されている（特許文献１の図３参照）。
【０００４】
ところが、この特許文献１に記載のオートチェンジャでは、装置内に収容可能な枚数分のディスクが挿入された状態では、一時的に再生したいディスクがある場合は、装置から１枚ディスクを排出した後でないとその再生したいディスクを再生することができなかった。
【０００５】
この問題点を解消するディスク装置として、特許文献１の実施例に示されるディスク再生装置のように、昇降可能なＣＤ再生ユニットの前後にディスクの出入り口を設け、２つの出入り口に対向する装置内の部位にはそれぞれディスクを収納するためのマガジンを配置し、ＣＤ再生ユニットが一方のマガジンにディスクをイジェクトしながら、他方のマガジンからディスクをローディングするオートチェンジャを備えた光ディスク再生装置が提案されている。
【０００６】
【特許文献１】特開平７−３２０３７７号公報
【発明の開示】
【発明が解決しようとする課題】
【０００７】
しかしながら、特許文献１に開示の光ディスク再生装置は、２つのマガジンが装置内で昇降するＣＤ再生ユニットに対してその両側に対向するように設けられているので、平面視したときの装置の投影面積が大きく、装置が大型化してスペース効率が悪いという問題点があった。即ち、特許文献１に開示の光ディスク再生装置では、２つのマガジンに保持されたディスクと、ＣＤ再生ユニットに装着されたディスクが何れも重なり合わない状態であるので、この装置にはディスク３枚を重なり合わないように横に並べた面積よりも大きい面積が必要となり、装置が大型化するのである。
【０００８】
そこで本発明は、このような問題点を解消し、オートチェンジャを内蔵するディスク装置において、ディスクを収容保持する保持部材を、昇降可能な第１のディスク保持部材と、交換するディスクを退避させるための第２のディスク保持部材の２つ設けるが、両者に保持されるディスク及び再生／記録中のディスクが平面視した状態で上下方向で重なるように構成し、平面視した時の装置の投影面積を小さくすると共に、昇降可能な一方の保持部材に保持可能な最大枚数のディスクが保持された状態では、交換可能に装置内に収容するディスクのこれ以上の追加は禁止するが、新たな別のディスクを一時的に再生／記録することは可能なディスク装置を提供することを目的としている。
【課題を解決するための手段】
【０００９】
前記目的を達成する本発明のディスク装置は、装置の開口部からディスクを出し入れする挿入／排出機構、開口部に隣接して、ディスクを複数枚保持可能な第１のディスク保持部材、この第１のディスク保持部材を装置内でディスクの積層方向に移動させる昇降機構、装置内部に設けられて、第１のディスク保持部材に保持されたディスクと平面視重なる状態で複数枚のディスクを保持可能な第２のディスク保持部材、第１と第２のディスク保持部材の間でディスクの受渡しを行う受渡し機構、第１と第２のディスク保持部材の間の空間でディスクの再生／記録を行うディスクの再生／記録機構、及び各機構と各部材の動作を制御する制御手段とを備えるオートチェンジャを装置内に備えるディスク装置において、開口部を開放／閉鎖するシャッタ機構と、第１のディスク保持部材に保持されているディスクの枚数を計数するディスクの保持枚数の計測手段とを設け、制御手段は、保持枚数の計測手段が第１のディスク保持部材に保持可能なディスクが収納されたことを検出した状態では、シャッタ機構に開口部を閉鎖する動作を行わせることを特徴とするものである。
【００１０】
本発明のディスク装置は、この形態を第１の形態として、以下の第２から第６の形態が可能である。
【００１１】
（ａ）第１の形態のディスク装置において保持枚数の計測手段が第１のディスク保持部材に保持可能なディスクが収納されたことを検出している状態で、装置の外にある別のディスクを一時的に再生／記録させる指示手段を設け、この一時再生／記録指示が制御手段に入力された場合に、制御手段は、昇降機構と受渡し機構によって第１のディスク保持部材に保持されたディスクの一部を第２のディスク保持部材に移動させて第１のディスク保持部材に保持可能部を形成する動作、昇降機構によって保持可能部を開口部に対向させる動作、シャッタ機構により開口部を開放する動作、挿入／排出機構によって別のディスクを第１のディスク保持部材の保持可能部に受け入れる動作、別のディスクを再生／記録機構によって再生／記録する動作、及び記別のディスクの再生／記録中は、シャッタ機構に開口部を閉鎖させる動作を行うようにした第２の形態。
【００１２】
（ｂ）第２の形態のディスク装置において、制御手段が、再生／記録機構の動作中は、再生／記録中の別のディスクの他のディスクへの交換動作の入力を禁止するようにした第３の形態。
【００１３】
（ｃ）第３の形態のディスク装置において、ディスク装置に一体的に、或いは別体で表示部を設け、制御手段は、再生／記録中の別のディスクを他のディスクに交換する動作ができない状態であることを表示部に表示するようにした第４の形態。
【００１４】
（ｄ）第３または４の形態のディスク装置において、ディスク装置に一体的に、或いは別体で信号音発生機構を設け、制御手段は、再生／記録中の別のディスクを他のディスクに交換する動作ができない状態であることを信号音発生機構によって外部に通知するように構成した第５の形態。
【００１５】
（ｅ）第５の形態のディスク装置において、制御手段は、再生／記録機構の別のディスクの再生／記録中に、装置内の他のディスクの再生／記録指示が入力された場合に、別のディスクの前記再生／記録機構による再生／記録を停止する、別のディスクを第１のディスク保持部材の保持可能部に移動する、シャッタ機構に開口部を閉鎖する動作を行わせる、挿入／排出機構によって別のディスクを第１のディスク保持部材から排出する、別のディスクの装置からの排出が確認された時点で、再生／記録指示が入力された装置内の他のディスク再生／記録処理を行わせることを特徴とする第６の形態。
【発明の効果】
【００１６】
本発明のディスク装置によれば、オートチェンジャを備えたディスク装置において、以下のような効果を奏する。
（１）第１のディスク保持部材に保持可能なディスクの枚数以上のディスクがディスク装置の内部に挿入されると、ディスクの交換動作ができなくなるので、シャッタによりディスク装置のディスク挿入用の開口部を閉鎖することにより、ユーザが意図せずにディスク交換可能な枚数以上のディスクをディスク置内に挿入することを防止することができる。
（２）ディスク交換可能な最大枚数分のディスクが挿入された状態でも、一時的に再生／記録のみ行いたいディスクを、既に挿入されたディスクをディスク装置から排出することなく挿入できる。
（３）ディスク交換が不可能であることをユーザに知らせることができる。
（４）表示を見ることなく、ディスク交換が不可能であることをユーザに知らせることができる。
（５）ユーザの操作を簡略化することができる。
【発明を実施するための最良の形態】
【００１７】
図１は本発明に係るディスク装置１０の全体構造をブロックで示すものである。装置本体１３に内蔵されたオートチェンジャ１には、ディスク２を保持する第１のディスク保持部材１１と第２のディスク保持部材１２、ディスク再生／記録機構３、ディスクの挿入／排出機構５、受渡し機構６、シャッタ機構７、及び昇降機構９がある。更に、ディスク装置１０の内部には、オートチェンジャ１の動作を制御する制御回路２０と、第１と第２のディスク保持部材１１，１２に保持されているディスク２の枚数を計数する保持枚数の計測回路２１が設けられている。
【００１８】
第１のディスク保持部材１１は、装置本体１３のディスクを出し入れする側（正面側）に、シャッタ機構７に隣接して設けられており、この第１のディスク保持部材１１には複数枚のディスク２をそれぞれ収納するストッカ４（個々のストッカを特定し易いように枝番が４−１のように付されている）がある。第１のディスク保持部材１１は、昇降機構９により矢印Ｚで示す上下方向に移動可能である。第１のディスク保持部材１１には、シャッタ機構７が開口した時に、挿入されたディスク２を空いているストッカ４に受け入れたり、ストッカ４内のディスク２を排出したりするための挿入／排出機構５が設けられている。
【００１９】
第２のディスク保持部材１２は、装置本体１３の奥側に固定配置されており、第１のディスク保持部材１１と同様に複数枚のディスク２を収納可能である。従って、第２のディスク保持部材１２にも複数枚のディスク２をそれぞれ収納するストッカ８（個々のストッカを特定し易いように枝番が８−１のように付されている）がある。第２のディスク保持機構１２は、再生しないディスクを一時的に保持するためのものであり、そのため、一般に、第２のディスク保持機構１２が保持できるディスクの枚数は、第１のディスク保持機構１１が保持できるディスクの枚数より１枚少ない。
【００２０】
受渡し機構６は、矢印Ｘで示すように、第１のディスク保持部材１１と第２のディスク保持部材１２の間を移動可能であり、第１のディスク保持部材１１と第２のディスク保持部材１２の間でディスク２の受渡しを行う。即ち、受渡しを行う際には、まず、第１のディスク保持部材１１が装置本体１３の上側に移動している時に、受渡し機構６が第１のディスク保持部材１１の下まで移動する。次に、第１のディスク保持部材１１が昇降機構９によって降下し、第２のディスク保持部材１２に保持させたい枚数のディスク２が受渡し機構６に係合した状態で停止する。この状態で受渡し機構６は第２のディスク保持部材１２側に移動し、保持したディスク２を第２のディスク保持部材１２に保持させる。この後、第１のディスク保持部材１１は昇降機構９によって上昇する。第１のディスク保持部材１１に保持されている最も下位のディスク２が再生されるディスクである。
【００２１】
なお、この図では、第１のディスク保持部材１１に保持されているディスク２と、第２のディスク保持部材１２に保持されたディスク２とが重ならないように描かれているが、実際には、図示の受渡し機構６の位置で、第１のディスク保持部材１１に保持されているディスク２と、第２のディスク保持部材１２に保持されたディスク２とは、平面視した時に重なっている。
【００２２】
ディスク再生／記録機構３は、第２のディスク保持部材の上方の空間に位置しており、矢印Ｙ方向に水平移動が可能になっている。そして、受渡し機構６が第１のディスク保持部材１１と第２のディスク保持部材１２の間でディスク２の受渡しを行っている時は、装置本体１３の奥側の位置に退避している。ディスク再生／記録機構３は、この退避位置においては、第１のディスク保持保持部材１１に保持されたディスク２とは投影面上で重ならないようになっている。これにより、第１のディスク保持部材１１がディスク２を保持したまま矢印Ｚの方向に移動しても、退避したディスク再生／記録機構３が第１のディスク保持部材１１に保持されたディスク２に干渉することがない。また、ディスク再生／記録機構３がディスク２を再生する位置では、ディスク再生／記録機構３に保持されたディスク２の中心軸と、第２のディスク保持部材１２に保持されたディスク２の中心軸が一致するようになっている。
【００２３】
制御回路２０は、シャッタ機構７の開閉動作、挿入／排出機構の５のディスクの挿入／排出動作、昇降機構９の第１のディスク保持部材１１の昇降動作、受渡し機構６のディスク２の受渡し動作、再生／記録機構３の移動とディスク２の再生／記録動作、及び、保持枚数の計測回路２１からのデータの取得等、オートチェンジャ１の全ての動作を制御するものである。
【００２４】
なお、図２に示されるように、本発明に係るディスク装置１０の表側に表示器１４が設けられたり、装置本体１３の内部にアラーム機構１５が設けられる場合がある。このような場合、制御回路２０は、表示器１４の表示動作、及びアラーム機構１５のアラーム動作についても制御する。
【００２５】
ここで、図１または図２のように構成された本発明に係るディスク装置１０における制御回路２０の動作について説明する。
（１）シャッタ閉鎖動作
前述のように構成されたディスク装置１０の第１のディスク保持部材１１のストッカ４の全てにディスク２が保持されている場合、保持枚数の計測回路２１から制御回路２０には第１のディスク保持部材１１内のディスク２の枚数が保持可能枚数に達しているという情報が入力される。このような場合、制御回路２０は、１つの動作として、シャッタ機構７にディスクの挿入／排出用の開口部を閉鎖する動作を行わせる。
【００２６】
この動作は、第１のディスク保持部材１１に保持可能なディスクの枚数以上のディスクがディスク装置１０の内部に挿入されると、オートチェンジャ１によるディスク２の交換動作ができなくなるためである。第１のディスク保持部材１１のストッカ４の全てにディスク２が保持されている場合に、シャッタ機構７によってディスク装置１０のディスク挿入用の開口部を閉鎖することにより、ユーザが意図せずにディスク交換可能な枚数以上のディスクをディスク装置内に挿入することを防止することができる。
（２）一時的な再生／記録動作
前述のように、第１のディスク保持部材１１のストッカ４の全てにディスク２が保持されている場合に、ユーザが装置内部で他のディスクと交換しながら再生／記録するための別のディスクを挿入しようとした場合は、制御回路２０がシャッタ機構７によってディスク装置１０のディスク挿入用の開口部を閉鎖してこれを防止する。
【００２７】
一方、同様に第１のディスク保持部材１１のストッカ４の全てにディスク２が保持されている場合でも、ユーザが一時的に或るディスクをディスク装置において再生／記録した場合がある。即ち、或るディスクをディスク装置内に長期間保持させて交換しながら再生／記録する目的ではなく、例えば、新たに発売されたＣＤを試聴したい目的で、一時的にディスク装置で再生したい場合がある。
【００２８】
このような場合に備えて、本発明のディスク装置には、一時再生／記録ボタン１６を設けておく。そして、この一時再生／記録ボタン１６が押された場合には、第１のディスク保持部材１１のストッカ４の全てにディスク２が保持されている場合でも、シャッタ機構７によるディスク挿入用の開口部の閉鎖を解除し、一時的に再生／記録したいディスクを、一時的な再生／記録目的のためだけにディスク装置１０内に受け入れる。
【００２９】
即ち、一時再生／記録ボタン１６が押された場合には、制御回路２０は、昇降機構９によって第１のディスク保持部材１１を降下させ、受渡し機構６によって第１のディスク保持部材１１に保持されているディスク２の一部（最低１枚で良い）を第２のディスク保持部材１２に移動させて第１のディスク保持部材１１に空いたストッカ４（例えば、ストッカ４−４）を作る。この後、制御回路２０は昇降機構９によって第１のディスク保持部材１１を上昇させ、空いたストッカ４−４を開口部に対向させてシャッタ機構７により開口部を開放する。そして、新たなディスク２が開口部から挿入されると、そのディスク２を挿入／排出機構５によって第１のディスク保持部材１１の空いたストッカ４−４に受け入れた後に、ディスク再生／記録機構３によってこのディスク２を再生／記録する。
【００３０】
なお、制御回路２０は、一時的な再生／記録が終了したディスク２に対しては、挿入／排出機構５によってディスク装置から排出させる。
（３）一時的な再生／記録動作中のシャッタ閉鎖動作
前述のような一時的に再生／記録を行うディスク２の再生／記録中は、制御回路２０はシャッタ機構７に開口部を閉鎖する動作を行わせると共に、ディスク装置１０の内部に保持されている別のディスクの他のディスクへの交換動作の入力を禁止する。このため、制御回路２０は、一時的に再生／記録を行うディスク２の再生／記録中は、シャッタ機構７にディスクの挿入／排出用の開口部を閉鎖する動作を行わせる。
【００３１】
これは、一時的に再生／記録を行うディスク２の再生／記録中は、ディスク装置１０の内部で他のディスクの交換動作が行えない状態にあるからである。
（４）一時的な再生／記録動作中の表示動作
一時的に再生／記録を行うディスクの再生／記録中は、（３）で説明したように、制御回路２０は他のディスクの挿入を受け付けないように、シャッタ機構７の閉鎖動作を行う。ところが、ユーザがこの状態に気付かない場合が考えられる。このような場合、図２に示したような、表示器１４が設けられているディスク装置１０においては、制御回路２０がディスクが挿入できない理由をこの表示器１４を用いてユーザに示すことができる。
【００３２】
例えば、制御回路２０は、表示器１４に以下のような表示を行ってユーザにディスクが挿入できない状態であることを通知することができる。
【００３３】
『一時的に挿入したディスクの再生中は他のディスクの挿入はできません。一時的に挿入したディスクを取り出した後に、内蔵の交換用のディスクを取り出してから新たなディスクを挿入して下さい。』
（５）一時的な再生／記録動作中のアラーム動作
（４）のように、表示器１４によってユーザにディスクが挿入できない状態であることを表示するようにしても、ユーザがまだ気づかない場合が考えられる。このような場合、図２に示したような、アラーム機構１５が設けられているディスク装置１０においては、制御回路２０がディスクが挿入できない理由をこのアラーム機構１５を用いてユーザに示すことができる。
【００３４】
このアラーム機構１５は、単なるブザーのような警告音を発生する信号音発生器でも良いが、アラーム機構１５に音声合成装置を装備させて、表示器１４に表示した内容を、警告音と共に発声するようにしても良い。こうすれば、ディスク装置１０にディスクが挿入できない状態であることをユーザに容易に気付かせることが可能となる。
（６）一時的な再生／記録動作中の内蔵ディスクの再生／記録動作
一時的に再生／記録を行うディスクの再生／記録中に、ユーザから、第１のディスク保持部材１１または第２のディスク保持部材１２に保持されているディスクの再生／記録動作が指示される場合がある。このような場合、制御回路２０は、再生／記録機構３による再生／記録を停止する。そして、再生／記録中であったディスクを第１のディスク保持部材１１の空きストッカ４に移動し、昇降機構９でこれをディスク装置１０の開口部に対向する位置まで引き上げる。この後、制御回路２０は、シャッタ機構７に開口部を開放する動作を行わせ、挿入／排出機構５によって先程まで再生／記録していたディスクを第１のディスク保持部材１１から排出する。
【００３５】
制御回路２０は、一時的に再生／記録を行っていたディスクのディスク装置１０からの排出が確認された時点で、シャッタ機構７に開口部を閉鎖する動作を行わせ、再生／記録指示が入力されたディスク装置１０に既に内蔵されている他のディスクの再生／記録処理を行わせる。
【００３６】
制御回路２０の以上のような動作により、ディスク装置のユーザの操作の簡略化を図ることができる。
【００３７】
次に、本発明に係るディスク装置１０の動作を、具体的な実施例に基づいて図３から図１３を参照して詳細に説明する。なお、この実施例では、制御回路２０並びに保持枚数の計数回路２１、及び一時再生／記録ボタン１６の図示は省略してあり、図１，図２と同じ構成部材については、同じ符号を付してある。また、図３（ａ）に示すように、第１のディスク保持部材１１の保持可能ディスク枚数は４枚（ストッカ４には枝番４−１〜４−４が付してある）、第２のディスク保持部材１２の保持可能ディスク枚数は３枚（ストッカ８には枝番８−１〜８−３が付してある）とし、第１のディスク保持部材１１のストッカ４（４−１〜４−４）の全てにディスク２（２−１〜２−４）が保持されており、空きストッカはないものとする。なお、説明を簡略化するために、この実施例では、ディスク２は再生のみ行うＣＤとするが、ディスク装置に挿入されたディスクに対して記録を行う場合の動作は再生する場合の動作と全く同じである。
（Ａ）通常動作
（Ａ−１）ディスク２−２の再生動作
図３（ａ）は、本発明の一実施例に係るディスクオートチェンジャ１を内蔵したディスク装置１０の、第１のディスク保持部材１１のストッカ４−１〜４−４の全てにディスク２−１〜２−４が挿入された状態を示している。そして、第１のディスク保持部材１１はそのストッカ４−４が装置本体１３の開口部１７に対向する位置まで昇降機構９によって上昇している。また、第１のディスク保持部材１１のストッカ４に空きがないので、シャッタ機構７は開口部１７を閉鎖している。再生／記録機構３は退避位置にあり、第２のディスク保持部材１２のストッカ８−１〜８−３は空いている。また、受渡し機構６は第２のディスク保持部材１２側に移動している。
【００３８】
この状態で、ディスク２−２を再生する指示がディスク装置１０に入力された場合を考える。この場合はまず、図３（ｂ）に示すようにディスクの受渡し機構６が、矢印Ｘ１で示すように第１のディスク保持部材１１の下側の、ディスク２を保持できる位置に移動する。次いで、第１のディスク保持部材１１が矢印Ｚ１で示すように下降する。
【００３９】
ディスク２−２が再生するディスクであるので、第１のディスク保持部材１１は、図４（ａ）に示すように、上から３番目のストッカ４−３が第２のディスク保持部材１２の一番上のストッカ８−１に対向する位置で停止する。この状態では、受渡し機構６にディスク２−３と２−４が係合する。この後、受渡し機構６は図４（ｂ）に矢印Ｘ２で示すように第２のディスク保持部材１２側にディスク２−３，２−４を保持したまま移動し、ディスク２−３をストッカ８−１に、ディスク２−４をストッカ８−２に収納する。
【００４０】
このように、２枚のディスク２−３，２−４が第２のディスク保持部材１２に収納された状態で、第１のディスク保持部材は矢印Ｚ２で示すように上昇し、図５（ａ）の状態となる。図５（ａ）に示す状態では、第１のディスク保持部材１１に保持された２枚目のディスク２−２の位置が、装置本体１３の床面に対して、再生／記録機構３よりも高い位置となっている。
【００４１】
この状態で、再生すべきディスク２−２が第１のディスク保持部材が矢印Ｐで示す方向に引き出され、図５（ｂ）に示すように再生位置の真上で停止する。この後、再生／記録機構３が矢印Ｙ１で示す方向に移動し、図６（ａ）に示すディスクの再生位置で停止する。再生／記録機構３がディスクを再生する位置は、第２のディスク保持部材１２に保持されているディスク２−３，２−４と平面視した時に重なる位置である。よって、再生／記録機構３の中心（回転中心）が受渡し機構６の中心軸に一致している。
【００４２】
図６（ａ）に示す位置からディスク２−２は矢印Ｒで示す方向に下降させられ、再生／記録機構３の上に置かれる。ディスク２−２が再生／記録機構３の上に置かれると、図示しないクランパによってディスク２−２が再生／記録機構３に固定されて装着される。ディスク２−２が再生／記録機構３に装着された状態が図６（ｂ）である。ディスク２−２が再生／記録機構３に装着されると、再生／記録機構３によってディスク２−２が回転させられ、ディスク２−２の再生が行われる。以上がディスク２−２の再生動作である。
（Ａ−２）ディスク２−２からディスク２−１への交換動作
ここで、ディスク２−２の再生が終了した後に、ディスク２−１を再生する指示がディスク装置１０に入力された場合を考える。
【００４３】
この場合は、図６（ｂ）の状態からディスク２−２が矢印ＲＢの方向に上昇させられ、図６（ａ）に示すように第１のディスク保持部材１１の第２のストッカ４−２の位置に至る。そして、再生／記録機構３や矢印Ｙ２で示す方向に移動して図５（ｂ）に示す退避位置に至る。再生／記録機構３の退避動作に遅れて、或いは同時に、ディスク２−２が矢印ＰＢ方向に移動させられ、図５（ａ）に示すように第１のディスク保持部材１１の第２のストッカ４−２の中に収納される。
【００４４】
続いて第１のディスク保持部材１１が矢印Ｚ１の方向に移動し、図４（ｂ）に示すように第１のディスク保持部材１１の３番目のストッカ４−３が第２のディスク保持部材１２の一番上のストッカ８−１に対向するように停止する。この状態で受渡し機構６が矢印Ｘ１の方向に移動し、第２のディスク保持部材１２に保持されていたディスク２−３，２−４を、図４（ａ）に示すように、それぞれ第１のディスク保持部材１１の第３と第４のストッカ４−３，４−４に移す。
【００４５】
今度は再生するディスクはディスク２−１であるので、第１のディスク保持部材１１は、図７（ａ）に示すように、上から２番目のストッカ４−２が第２のディスク保持部材１２の一番上のストッカ８−１に対向する位置で停止する。この状態では、受渡し機構６にディスク２−２〜２−４が係合する。この後、受渡し機構６は矢印Ｘ２で示すように第２のディスク保持部材１２側にディスク２−２〜２−４を保持したまま移動し、図７（ｂ）に示すように、ディスク２−２をストッカ８−１に、ディスク２−３をストッカ８−２に、ディスク２−４をストッカ８−３に収納する。
【００４６】
このように、３枚のディスク２−２〜２−４が第２のディスク保持部材１２に収納された状態で、第１のディスク保持部材は矢印Ｚ２で示すように上昇し、図８（ａ）の状態となる。図８（ａ）に示す状態では、第１のディスク保持部材１１に保持された１枚目のディスク２−１の位置が、装置本体１３の床面に対して、再生／記録機構３よりも高い位置となっている。
【００４７】
この状態で、再生すべきディスク２−１が第１のディスク保持部材が矢印Ｐで示す方向に引き出され、図８（ｂ）に示すように再生位置の真上で停止する。この後、再生／記録機構３が矢印Ｙで示す方向に移動し、図９（ａ）に示すディスクの再生位置で停止する。再生／記録機構３がディスクを再生する位置は、第２のディスク保持部材１２に保持されているディスク２−２〜２−４と平面視した時に重なる位置である。よって、再生／記録機構３の中心（回転中心）が受渡し機構６の中心軸に一致している。
【００４８】
図９（ａ）に示す位置からディスク２−１は矢印Ｒで示す方向に下降させられ、再生／記録機構３の上に置かれる。ディスク２−１が再生／記録機構３の上に置かれると、図示しないクランパによってディスク２−１が再生／記録機構３に固定されて装着される。ディスク２−１が再生／記録機構３に装着された状態が図９（ｂ）である。ディスク２−１が再生／記録機構３に装着されると、再生／記録機構３によってディスク２−１が回転させられ、ディスク２−１の再生が行われる。以上がディスク２−２からディスク２−１への交換動作である。
（Ｂ）一時再生動作
（Ｂ−１）ディスク２−５の再生動作
次に、図３（ａ）に示す第１のディスク保持部材１１のストッカ４−１〜４−４の全てにディスク２−１〜２−４が挿入された状態で、ディスク装置１０の外部にある別のディスクを一時的に再生す指示がディスク装置１０に入力された場合を考える。この場合はまず、図３（ｂ）に示すようにディスクの受渡し機構６が、矢印Ｘ１で示すように第１のディスク保持部材１１の下側の、ディスク２を保持できる位置に移動する。次いで、第１のディスク保持部材１１が矢印Ｚ１で示すように下降する。
【００４９】
第１のディスク保持部材１１に空きストッカを作る必要があるので、第１のディスク保持部材１１は、図１０（ａ）に示すように、上から４番目のストッカ４−４が第２のディスク保持部材１２の一番上のストッカ８−１に対向する位置で停止する。この状態では、受渡し機構６にディスク２−４のみが係合する。この後、受渡し機構６は図１０（ｂ）に矢印Ｘ２で示すように第２のディスク保持部材１２側にディスク２−４を保持したまま移動し、ディスク２−４をストッカ８−１に収納する。
【００５０】
このように、ディスク２−４が第２のディスク保持部材１２に収納された状態で、第１のディスク保持部材は矢印Ｚ２で示すように上昇し、図１１（ａ）の状態となる。図１１（ａ）に示す状態では、第１のディスク保持部材１１の４番目のストッカ４−４が空いており、このストッカ４−４が開口部１７に対向している。よって、この状態でシャッタ機構７を開放して開口部１７を開ければ、ディスク装置１０の外部からストッカ４−４にディスクを挿入可能である。
【００５１】
図１１（ｂ）はディスク装置１０の外部から別のディスク２−５がストッカ４−４に挿入されている状態を示すものである。ディスク２−５がストッカ４−４に収納された状態が図１２（ａ）である。ディスク２−５がストッカ４−４に収納された後は、シャッタ機構７が開口部１７を閉鎖する。この後、第１のディスク保持部材１１は、ストッカ４−４に保持されたディスク２−５の位置が、装置本体１３の床面に対して、再生／記録機構３よりも高い位置となるまで上昇する。この状態を図１２（ｂ）に示す。
【００５２】
この状態で、再生すべきディスク２−５が第１のディスク保持部材が矢印Ｐで示す方向に引き出され、この動きに同期して、或いは遅れて再生／記録機構３が矢印Ｙ１で示す方向に移動し、両者は図１３（ａ）に示すディスクの再生位置で停止する。図１３（ａ）に示す再生／記録機構３がディスク２−５を再生する位置は、ディスク２−５が第２のディスク保持部材１２に保持されているディスク２−４と平面視した時に重なる位置である。よって、再生／記録機構３の中心（回転中心）が受渡し機構６の中心軸に一致している。
【００５３】
図１３（ａ）に示す位置からディスク２−５は矢印Ｒで示す方向に下降させられ、再生／記録機構３の上に置かれる。ディスク２−５が再生／記録機構３の上に置かれると、図示しないクランパによってディスク２−５が再生／記録機構３に固定されて装着される。ディスク２−５が再生／記録機構３に装着された状態が図１３（ｂ）である。ディスク２−５が再生／記録機構３に装着されると、再生／記録機構３によってディスク２−５が回転させられ、ディスク２−５の再生が行われる。以上が第１のディスク保持部材１１に保持可能枚数と同数のディスクが保持されていた場合の、ディスク装置１０の外部にあるディスク２５を一時的に再生する動作である。
（Ｂ−２）ディスク２−５の再生後の排出動作
以上のように、第１のディスク保持部材１１に保持可能枚数と同数のディスクが保持されていた場合でも、本発明のディスク装置１０では、ディスク装置１０の外部にあるディスク２−５を一時的に再生することができる。一方、一時的に再生したディスク２−５の再生が終了した後は、これを再度再生する指示がなければ、一時的に再生したディスク２−５は、図１３（ｂ）から図１１（ｂ）の動作を逆の手順で行って、一時的に再生したディスク２−５はディスク装置１０の外部に排出される。これは、一時的に再生したディスク２−５がディスク装置１０の内部に残留したままであると、元々ディスク装置１０に内蔵されていた４枚のディスク２−１〜２−４の自由な交換動作を行うことができなくなるからである。
【００５４】
なお、以上説明した実施例では、第１のディスク保持部材１１に保持可能なディスクの枚数を４枚、第２のディスク保持部材１２に保持可能なディスクの枚数を３枚としたが、第１、第２のディスク保持部材１１，１２に保持可能なディスクの枚数はこれに限定されるものではない。
【００５５】
また、以上説明した実施例では、第１のディスク保持部材１１が最上位まで上昇した時の最も下のストッカ４−４の装置本体１３からの高さの方が、ディスク装置１０の開口部１７の装置本体１３からの高さよりも高くなっているが、第１のディスク保持部材１１が最上位まで上昇した時の最も下のストッカ４−４の位置と、ディスク装置１０の開口部１７の位置の関係はこの通りでなくても良い。
【００５６】
本発明は、装置本体内に再生／記録を行うためのディスクを複数枚保持可能な第１のディスク保持部材と、装置内で再生／記録を行うディスクを交換する際に、ディスクを一時退避させる第２のディスク保持部材を備えるオートチェンジャを内蔵するのディスク装置において、第１のディスク保持部材に保持可能なディスク枚数以上のディスクの装置内への誤挿入の防止、追加で再生／記録のみ行いたいディスクを既に挿入されたディスクの排出を行うことなく挿入することができるため、オートチェンジャを内蔵するディスク装置の使い勝手を向上させる場合に有効である。
【図面の簡単な説明】
【００５７】
【図１】本発明のディスク装置の構成を示すブロック構成図である。
【図２】図１に示したディスク装置に表示器とアラーム機構が追加されたディスク装置のブロック構成図である。
【図３】（ａ）は本発明の一実施例に係るディスク装置の第１のディスク保持部材に全てディスクが挿入された状態を示すディスク装置の概略側面図、（ｂ）は（ａ）の状態から受渡し機構が移動する状態を説明するディスク装置の概略側面図である。
【図４】（ａ）は図３（ｂ）に示した第１のディスク保持部材が所定位置まで下降する状態を説明するディスク装置の概略側面図、（ｂ）は（ａ）に示した第１のディスク保持部材からディスクの一部が第２のディスク保持部材に受渡される状態を説明するディスク装置の概略側面図である。
【図５】（ａ）は図４（ｂ）に示した第１のディスク保持部材が上昇した状態を示すディスク装置の概略側面図、（ｂ）は（ａ）の第１のディスク保持部材から再生用のディスクが取り出された状態を示すディスク装置の概略側面図である。
【図６】（ａ）は図５（ｂ）に示した再生／記録機構が再生／記録位置まで移動した状態を示すディスク装置の概略側面図、（ｂ）は（ａ）の再生／記録機構にディスクが装着され、再生／記録が実行されている状態を示すディスク装置の概略側面図である。
【図７】（ａ）は図３（ｂ）に示した第１のディスク保持部材が図４（ｂ）に示した位置とは別の所定位置まで下降する状態を説明するディスク装置の概略側面図、（ｂ）は（ａ）に示した第１のディスク保持部材からディスクの一部が第２のディスク保持部材に受渡される状態を説明するディスク装置の概略側面図である。
【図８】（ａ）は図７（ｂ）に示した第１のディスク保持部材が上昇した状態を示すディスク装置の概略側面図、（ｂ）は（ａ）の第１のディスク保持部材から再生用のディスクが取り出された状態を示すディスク装置の概略側面図である。
【図９】（ａ）は図８（ｂ）に示した再生／記録機構が再生／記録位置まで移動した状態を示すディスク装置の概略側面図、（ｂ）は（ａ）の再生／記録機構にディスクが装着され、再生／記録が実行されている状態を示すディスク装置の概略側面図である。
【図１０】（ａ）は図３（ａ）の状態の時に、一時的なディスクの再生／記録指示が入力された場合の、第１のディスク保持部材の下降動作の一例を示すディスク装置の概略側面図、（ｂ）は（ａ）に示した第１のディスク保持部材から最下位位置のストッカから１枚のディスクが第２のディスク保持部材に受渡される状態を説明するディスク装置の概略側面図である。
【図１１】（ａ）は図１０（ｂ）に示した第１のディスク保持部材が上昇して、空いたストッカをシャッタ機構に対向させた状態を示すディスク装置の概略側面図、（ｂ）は（ａ）の状態でシャッタが開き、開口部から一時的に再生／記録するディスクが装置内に挿入される状態を示すディスク装置の概略側面図である。
【図１２】（ａ）は図１１（ｂ）に示した第１のディスク保持部材に一時的に再生／記録するディスクが挿入されてシャッタが閉じた状態を示すディスク装置の概略側面図、（ｂ）は（ａ）の第１のディスク保持部材が更に上昇した状態を示すディスク装置の概略側面図である。
【図１３】（ａ）は図１２（ｂ）に示した第１のディスク保持部材から一時的に再生／記録するディスクが取り出されて記録／再生機構が記録／再生位置に移動した状態を示すディスク装置の概略側面図、（ｂ）は（ａ）の再生／記録機構にディスクが装着され、再生／記録が実行されている状態を示すディスク装置の概略側面図である。
【符号の説明】
【００５８】
１…ディスクオートチェンジャ
２…ディスク
３…記録／再生機構
４，８…ストッカ
５…挿入／排出機構
６…受渡し機構
７…シャッタ
９…昇降機構
１０…ディスク装置
１１…第１のディスク保持部材
１２…第２のディスク保持部材
１３…装置本体
１４…表示器
１５…アラーム機構
１６…一時再生／記録ボタン
１７…開口部
２０…制御回路
２１…保持枚数の計数回路
【図１】
2005251307.tif 000003
【図２】
2005251307.tif 000004
【図３】
2005251307.tif 000005
【図４】
2005251307.tif 000006
【図５】
2005251307.tif 000007
【図６】
2005251307.tif 000008
【図７】
2005251307.tif 000009
【図８】
2005251307.tif 000010
【図９】
2005251307.tif 000011
【図１０】
2005251307.tif 000012
【図１１】
2005251307.tif 000013
【図１２】
2005251307.tif 000014
【図１３】
2005251307.tif 000015